(57)【要約】【課題】  簡単な構成で、かつ外面に集積される微細な埃を簡便でかつきれいに取り除くことができ、製造コストを低減でき、その組立分解も簡便であり、耐久性に優れるサイクロン集塵装置のフィルタ掃除機構を提供する。【解決手段】  吸気ポート及び排気ポートを有するサイクロン本体、及びサイクロン本体に結合され、吸気ポートへ流入される埃が含まれた空気を遠心分離させて埃を集める集塵筒、及び集塵筒内で排気ポートに結合されたフィルタを備えるサイクロン集塵装置のフィルタ掃除機構において、フィルタの外面に結合されて軸線に沿って移動可能な除埃リングと；フィルタの下部に配置されてフィルタに接離可能な操作部；操作部と除埃リングとの間に介在されて、操作部の接離と連動して除埃リングを移動させる連結部材と；フィルタと操作部との間に弾性的に介在されて、フィルタから操作部を離間する弾性バネと；集塵筒の底面から上向きに突出して、操作部をフィルタと接近するように押圧する作動棒とを含む。【選択図】      図４
2004298860.tif 000002
【特許請求の範囲】
【請求項１】
吸気ポート及び排気ポートを有するサイクロン本体、及び前記サイクロン本体に結合され、前記吸気ポートへ流入される埃が含まれた空気を遠心分離させて埃を集める集塵筒、及び前記集塵筒内で前記排気ポートに結合されたフィルタを備えるサイクロン集塵装置のフィルタ掃除機構において、
前記フィルタの外面に結合されて軸線に沿って移動可能な除埃リングと；
前記フィルタの下部に配置されて前記フィルタに接離可能な操作部と；
前記操作部と前記除埃リングとの間に介在されて、前記操作部の接離と連動して前記除埃リングを移動させる連結部材と；
前記フィルタと前記操作部との間に弾性的に介在されて、前記フィルタから前記操作部を離間する弾性バネと；
前記集塵筒の底面から上向きに突出して、前記操作部を前記フィルタと接近するように押圧する作動棒とを含むことを特徴とするサイクロン集塵装置のフィルタ掃除機構。
【請求項２】
前記作動棒は、前記集塵筒が前記サイクロン本体と結合されるとき、前記操作部を押圧して前記フィルタに接近させ、
前記集塵筒が前記サイクロン本体から分離されるとき、前記弾性バネの弾性力により前記操作部が前記フィルタから離間されることを特徴とする請求項１に記載のサイクロン集塵装置のフィルタ掃除機構。
【請求項３】
前記操作部は前記作動棒の端部と嵌め込まれる嵌合溝部、及び前記嵌合溝部から放射状に下向きに延びた棒案内部を備え、
前記フィルタの下部には前記操作部の棒案内部と結合されるスカート部が形成されていることを特徴とする請求項１又は２に記載のサイクロン集塵装置のフィルタ掃除機構。
【請求項４】
前記連結部材は、
前記操作部の嵌合溝部に配置され、ネジにより締着される係合溝部と；
前記係合溝部から放射状に突出した後、前記棒案内部及び前記フィルタのスカート部を貫通するように上向きに折曲延設された複数の連結部と；
前記除埃リングに結合される前記各連結部の係合端部とを含むことを特徴とする請求項３に記載のサイクロン集塵装置のフィルタ掃除機構。
【請求項５】
前記操作部及び前記フィルタにはそれぞれ前記弾性バネの位置を位置決めるバネ固定部が形成されていることを特徴とする請求項１又は２に記載のサイクロン集塵装置のフィルタ掃除機構。
【発明の詳細な説明】
【技術分野】
【０００１】
本発明は真空掃除機のサイクロン集塵装置に関し、特に、サイクロン集塵装置内に設置されて汚物などを遠心分離させた空気に含まれた微細な埃をフィルタリングさせるフィルタを掃除する機構に関する。
【背景技術】
【０００２】
真空掃除機のサイクロン集塵装置内に設置されるフィルタは、掃除機本体へ排出される空気に含まれた微細な埃をフィルタリングさせる機能を果たす。このようなフィルタには、通常、フィルタリングされた埃がその外面に漸次集積されるので、周期的に掃除しなければならないという不具合がある。従って、最近、サイクロン集塵装置の集塵筒の開閉と連動して、フィルタの外面に集塵された埃を除去することができる種々のフィルタ掃除機構が提案されている。
【０００３】
図１及び図３は、それぞれかかる従来のフィルタ掃除機構付きサイクロン集塵装置の縦断面図であり、図１は特開２００２−３１５７０１号に開示されている図面であって、図３はＥＰ１１３６０２８Ａ２に開示されている図である。図１において、サイクロン集塵装置１００は、吸気ポート１１１及び排気ポート１２１が形成されたサイクロン本体１１０、サイクロン本体１１０に着脱自在に結合された集塵筒１０３、及びサイクロン本体１１０の排気ポート１２１に設置されて集塵筒１０３内に配置されるフィルタ１３０を備える。
【０００４】
かかるサイクロン集塵装置に装着された従来のフィルタ掃除機構１５０は、図２からわかるように、フィルタ１３０の外面を取り囲む除埃リング１５１、この除埃リング１５１を弾性的に下向きに押圧する弾性バネ１５５、及び除埃リング１５１をフィルタ１３０の上部に位置決めるスライダー１６１およびロックリバー１７１を備える。サイクロン本体１１０の連結管１１３と集塵筒１０３との間にはスライダー１６１の上下への摺動のための案内溝部１５７が形成されている。
【０００５】
スライダー１６１は、除埃リング１５１の外面から下向きに折曲延設されて、案内溝部１５７内に上下に摺動可能に収納される。このスライダー１６１は集塵筒１０３の凸溝と係合される係合突起１６２を備え、これら係合突起１６２と凸溝の作用により、集塵筒１０３はスライダー１６１と一体に摺動可能である。更に、スライダー１６１には、その一側の長手方向の縁部に一定した間隔を置いて凹入された一対のロック溝１６５、１６６を具備する。
【０００６】
さらに、ロックリバー１７１は、スライダー１６１のロック溝１６５、１６６と作用するロッカー１７２、及びユーザが操作可能な操作部１７４を備える。かかるロックリバー１７１は、案内溝部１５７に設けられた回転軸１７６を中心として回転し、ロッカー１７２をスライダー１６１のロック溝１６５、１６６と係合させる。このために、ロックリバー１７１の外側にはロッカー１７２をロック溝１６５、１６６に向かって弾性的に押圧するロッカーバネ１８１が設置されている。
【０００７】
このような構成によって、従来のフィルタ掃除機構１５０を具備するサイクロン集塵装置１００では、ロックリバー１７１の操作部１７４を押圧してその集塵筒１０３を分離させることができる。すると、分離される集塵筒１０３と連動してフィルタ掃除機構１５０が作動することになる。すなわち、ロックリバー１７１の操作部１７４を押圧して回転軸１７６を中心として回転させると、ロッカー１７２がスライダー１６１のロック溝１６５、１６６から外向きに離脱される。このとき、圧縮されて弾性力を保持している弾性バネ１５５が膨張することによって、集塵筒１０３を分離させると同時に、除埃リング１５１及びスライダー１６１が下向きに摺動する。
【０００８】
この際、降下する除埃リング１５１は、フィルタ１３０の外面に集積された埃を掃きながら摺動し、これにより、掃かれる埃などは集塵筒１０３内に落下して蓄積される。すると、ユーザは、集塵筒１０３の凸溝とスライダー１６１の係合突起１６２の嵌合を解除させた後、集塵筒１０３内に収去された汚物及び埃を取り除くことができる。一方、汚物及び埃を取り除いた集塵筒１０３は、前述した逆順にしたがい、上向きに押圧してサイクロン本体１１０に結合できる。
【０００９】
ところが、かかる従来のサイクロン集塵装置のフィルタ掃除機構１００は、除埃リング１５１をフィルタ１３０の外面に沿って摺動させるためのスライダー１６１、弾性バネ１５５、ロックリバー１７１などを含む複雑な構成を有し、特に、スライダー１６１の摺動を案内すると共に、ロックリバー１７１を操作可能に収納する案内溝部１５７をサイクロン本体１１０と集塵筒１０３との間に形成しなければならない構成であるため、必然的に製造コストが高くなるという問題があった。このような複雑な構成のフィルタ掃除機構１００はまた、集塵筒１０３のサイクロン本体１１０からの着脱も容易でなく、使い勝手が良くない。
【００１０】
一方、図３に示した従来の他のフィルタ掃除機構２００は、フィルタ１３０の外面に結合された除埃リング２０１、ユーザが操作可能に外向きに露出した操作ノブ２０９、及び除埃リング２０１と操作ノブ２０９との間に介在するロッド２０７を備える。ロッド２０７は除埃リング２０１のリブ２０２に一端が結合され、サイクロン本体１１０の上フランジ部１０９を上向きに貫通して操作ノブ２０９に結合される。サイクロン本体１１０には操作ノブ２０９の上下方向への移動を案内するスリット２１１が形成されている。そして、ロッド２０７の外面には弾性バネ２０５が装着されて、操作ノブ２０９と上フランジ部１０９との間に介在される。
【００１１】
このような構成によれば、操作ノブ２０９は、弾性バネ２０５の弾性力によってスリット２１１の上部に位置する。すると、操作ノブ２０９及びロッド２０７を介して連結された除埃リング２０１も図からわかるように、フィルタ１３０の上部に位置する。かかる状態で、ユーザはフィルタ１３０の外面に埃が集積されたと判断される場合、操作ノブ２０９を下向きに押圧してスリット２１１に沿って移動させる。すると、除埃リング２０１がフィルタ１３０の外面に沿って下向きに移動しながら、その外面に集塵された埃を除去するものである。
【００１２】
しかし、このような従来のサイクロン集塵装置１００のフィルタ掃除機構２００では、除埃リング２０１をフィルタ１３０の外面に沿って移動させる操作ノブ２０９とロッド２０７のそのものの構成及びそれら相互間の結合構成が弱く、例えば、フィルタ１３０の外面に割合多量の埃が集塵される場合、簡単に操作ノブ２０９を下向きに押圧して除埃リング２０１を移動させることが困難であり、特に操作ノブ２０９に無理な力を付勢する場合、容易く破損されるおそれがあるという問題がある。このような場合、ユーザは集塵筒１０３をサイクロン本体１１０から分離させた後、手作業で個々にフィルタ１３０の外面に集積された埃を除去しなければならないという不具合があった。
【発明の開示】
【発明が解決しようとする課題】
【００１３】
本発明は上記のような従来の問題点に鑑みなされたもので、その目的はサイクロン集塵装置内に設置されたフィルタの外面に集積される微細な埃を簡便でかつきれいに取り除くことができる簡単な構成で耐久性に優れたフィルタ掃除機構を提供することにある。
【００１４】
本発明の他の目的は、簡単な構成で製造コストを低減でき、その組立分解も簡便なサイクロン集塵装置用のフィルタ組立体を提供することにある。
【課題を解決するための手段】
【００１５】
前記した目的を達成するために、本発明は、吸気ポート及び排気ポートを有するサイクロン本体、及び前記サイクロン本体に結合され、前記吸気ポートへ流入される埃が含まれた空気を遠心分離させて埃を集める集塵筒、及び前記集塵筒内で前記排気ポートに結合されたフィルタを備えるサイクロン集塵装置のフィルタ掃除機構において、前記フィルタの外面に結合されて軸線に沿って移動可能な除埃リングと；前記フィルタの下部に配置されて前記フィルタに接離可能な操作部と；前記操作部と前記除埃リングとの間に介在されて、前記操作部の接離と連動して前記除埃リングを移動させる連結部材と；前記フィルタと前記操作部との間に弾性的に介在されて、前記フィルタから前記操作部を離間する弾性バネと前記集塵筒の底面から上向きに突出して、前記操作部を前記フィルタと接近するように押圧する作動棒とを含むことを特徴とする。
【００１６】
また、前記作動棒は、前記集塵筒が前記サイクロン本体と結合されるとき、前記操作部を押圧して前記フィルタに接近させ、前記集塵筒が前記サイクロン本体から分離されるとき、前記弾性バネの弾性力により前記操作部が前記フィルタから離間されるので、これにより、除埃リングがフィルタの外面に沿って移動できるものである。
【００１７】
ここで、前記操作部は前記作動棒の端部と嵌め込まれる嵌合溝部、及び前記嵌合溝部から放射状に下向きに延びた棒案内部を備え、前記フィルタの下部には前記操作部の棒案内部と結合されるスカート部を形成することが望ましい。
【００１８】
さらに、前記連結部材は、前記操作部の嵌合溝部に配置され、ネジにより締着される係合溝部と；前記係合溝部から放射状に突出した後、前記棒案内部及び前記フィルタのスカート部を貫通するように上向きに折曲延設された複数の連結部と；
前記除埃リングに結合される前記各連結部の係合端部とを含んで簡単に構成することができる。
【００１９】
また、このサイクロン集塵装置のフィルタ掃除機構には、前記操作部及び前記フィルタに前記弾性バネの位置を位置決めるバネ固定部をそれぞれ形成することが望ましい。
【発明の効果】
【００２０】
以上説明したように、本発明によれば、サイクロン集塵装置内に設置されたフィルタの外面に集積される微細な埃を簡便でかつきれいに取り除くことができる簡単な構成で耐久性に優れたフィルタ掃除機構が得られる。
【００２１】
また、本発明によるサイクロン集塵装置のフィルタ掃除機構は、簡単な構成で製造コストを低減でき、その組立分解も簡便である。
【発明を実施するための最良の形態】
【００２２】
以下、本発明の好適な実施の形態につき、図面を参照して具体的に説明する。
【００２３】
図４は、本発明によるフィルタ装置機構付きのサイクロン集塵装置の部分断面図である。サイクロン集塵装置１は、図からわかるように、吸気ポート１３及び排気ポート２３が形成されたサイクロン本体１０、サイクロン本体１０に着脱自在に結合される集塵筒３１、サイクロン本体１０の排気ポート２３に設けられ、集塵筒３１内に配置されるフィルタ４０、及びこのフィルタ４０の外面に集積される埃を取り除くフィルタ掃除機構５０を備える。
【００２４】
サイクロン本体１０は、排気ポート２３が形成された上ボディ２１と、吸気ポート１３が形成された下ボディ１１とからなり、これら上下ボディ２１、１１は、複数のネジ４１で螺合される。上ボディ２１に上向きに開口された排気ポート２３には、排出側結合管２５が上向きに延びている。この排出側結合管２５は、真空掃除機の掃除機本体（図示せず）に連結されたフレキシブル連結管４７に結合される。
【００２５】
下ボディ１１は、下向きに開口された吸気ポート１３と、この吸気ポート１３と平行に下向きに開口された筒結合部１７とを備える。吸気ポート１３には、吸気側結合管１５が下向きに延びている。この吸気側結合管１５は真空掃除機の埃吸込部（図示せず）を有する吸入管４９が結合される。そして、筒結合部１７の外面には集塵筒３１の結合縁部３３を収める結合リブ３２が形成されている。この結合リブ３２には水平方向に切欠された係合スリット３４が設けられている。
【００２６】
集塵筒３１は上向きに開口された円筒状であって、従来の集塵筒（図１、図３の１０３）と異なり、スライダー用の案内溝部（図１、図３の１５７）及び凸溝が除去された簡単な構造を有する。このような集塵筒３１の開口縁部は結合リブ３２に収納される結合縁部３３を形成し、この結合縁部３３には係合スリット３４と掛かり合う係合突起３５が突設されている。集塵筒３１の結合縁部３３を筒結合部１７の結合リブ３２に収納した状態で、一方向に回転させると、係合突起３５が係合スリット３４内に収納される。これにより、集塵筒３１をサイクロン本体１０に着脱自在に結合させることができる。
【００２７】
一方、サイクロン本体１０の上ボディ２１と下ボディ１１との間には、汚物逆流防止板３８が介在されている。汚物逆流防止板３８は円錐状を有し、その中央部に排気孔（図示せず）が形成されている。サイクロン本体１０の上ボディ２１および下ボディ１１にはそれぞれ汚物逆流防止用の固定リブ１８、２８が突出し、汚物逆流防止板３８を支持する。これにより、上ボディ２１と下ボディ１１とによって形成されるサイクロン本体１０の内部空間が上下に区切られる。
【００２８】
汚物逆流防止板３８の排気孔にはフィルタ固定管３９が設置され、このフィルタ固定管３９の下部にフィルタ４０が結合されている。フィルタ４０はフィルタ固定管３９を介在せず、汚物逆流防止板３８の排気孔に直接結合されたり、フィルタ固定管３９及び汚物逆流防止板３８を介在せず、上ボディ２１の排気ポート２３に直接結合できることはもちろんのことである。
【００２９】
フィルタ４０は、図５から明らかなように、上向きに開口された円筒状を有し、外周面に吸気グリル部４６が形成されている。ここで、吸気グリル部４６は、空気に含まれた微細な埃を自体的にフィルタリング可能な多数のフィルタ孔を含んで構成することができる。しかし、より効率良いフィルタリングのために、図示されているように、吸気グリル部４６を複数の吸気口で簡単に構成し、その外面に網状のフィルタリング部材４５を設置することが望ましい。なお、フィルタ４０の上向開口は、排気ポート２３と連通する排気口４３を形成して、吸気グリル部４６を通過しながらフィルタリングされた空気を排気させる。
【００３０】
また、図５は図４の要部拡大分解斜視図であり、図６は図５の背面斜視図であって、フィルタ及びその外面に集積された埃を取り除くフィルタ掃除機構をより具体的に示す図である。これらの図からわかるように、本フィルタ掃除機構５０は、フィルタ４０の外面に結合された除埃リング５１、除埃リング５１をフィルタ４０の外面に沿って移動させる操作部６１、及び集塵筒３１に設置されて操作部６１を作動させる作動棒（図４の８１）に大いに構成される。ここに、操作部６１とフィルタ４０との間に介在される弾性バネ７１、及び操作部６１と除埃リング５１との間に介在する連結部材７３を更に含む。
【００３１】
除埃リング５１は、従来の図１乃至図３と同様に、フィルタ４０の外面に結合されてその軸線に沿って昇降可能である。除埃リング５１の内周面にはその円周方向に沿ってブラシ５３を設置した方が望ましい。このブラシ５３は除埃リング５１と一緒に移動しながらフィルタ４０の外面を掃いて、埃を取り除く役割を果たす。
【００３２】
操作部６１は、半球状を有し、フィルタ４０の下部に一定の間隔を置いて配置される。この操作部６１は、凹面の中心部分を凹設した嵌合溝部６３と、この嵌合溝部６３から半径方向に下向きに延びた棒案内部６５とに区切られる。嵌合溝部６３は、後述する作動棒８１の端部８３が収納され、一方、棒案内部６５は作動棒８１の端部８３を嵌合溝部６３に案内する役割を果たす。嵌合溝部６３の中央には係合溝が形成されている。
【００３３】
このような操作部６１は、そのブロック面６７がフィルタ４０に対向するように配置され、フィルタ４０へ接離可能である。そして、フィルタ４０には操作部６１を部分的に収容可能なスカート部４８が形成されている。スカート部４８はフィルタ４０の下縁部から外向きに突出した後、操作部６１に向かって下向きに延びている。かかるスカート部４８は、操作部６１を収納するほかにも、除埃リング５１の過度な下向きへの移動を遮断させる係止爪の役割をもする。
【００３４】
一方、連結部材７３は、操作部６１に結合される係合溝部７４、この係合溝部７４から除埃リング５１に向かって分岐された３つの連結部７６、及び除埃リング５１に結合される各連結部７６の係合端部７５から構成される。係合溝部７４は、操作部６１の嵌合溝部６３内に配置され、その中心に操作部６１の係合溝に対応する貫通溝が形成されている。この係合溝部７４はその下方から貫通溝を上向きに貫通して操作部６１の嵌合溝部６３に形成された係合溝に締結されるネジ（図７の７９）により固着される。
【００３５】
連結部７６は係合溝部７４から放射状に突出した後、操作部６１の棒案内部６５と、フィルタ４０のスカート部４８を貫通するように延びている。操作部６１の凹面には連結部材７３の各連結部７６を位置決める３つの溝６９が形成されている。そして、各連結部７６の端部、すなわち係合端部７５は除埃リング５１に係合され、これにより、操作部６１と除埃リング５１は一体に移動可能である。
【００３６】
なお、弾性バネ７１は、フィルタ４０のスカート部４８内において、操作部６１とフィルタ４０の下部との間に介在される。操作部６１の凸面にはフィルタ４０に向かって突出したバネ固定部９１が形成されており、フィルタ４０の下部には凹設されたフィルタリング固定部９３が形成されている。これらのフィルタリング固定部９１、９３にはそれぞれ弾性バネ７１の両端が結合され、離脱を防止するように固定される。かかる弾性バネ７１の弾性力は、操作部６１をフィルタ４０から離間させる役割をする。
【００３７】
そして、作動棒８１は、図７及び図８からわかるように、集塵筒３１の底面から軸線方向に沿って上向きに突出している。ここで、作動棒８１は集塵筒３１と一体に射出成形できるが、他方、別に製作して結合させることもできる。この作動棒８１は、その端部８３が操作部６１の棒案内部６５によって案内されて嵌合溝部６３内に収容されて嵌め込まれる。
【００３８】
このような作動棒８１を上向きに押圧すると、操作部６１がフィルタ４０へ接近する。これと同時に、除埃リング５１がフィルタ４０の外面に沿って上向きに移動してその上部に配置される。一方、作動棒８１の上向きへの押圧力が解除されると、操作部６１は弾性バネ７１の弾性力によってフィルタ４０へ離間する。このとき、除埃リング５１はフィルタ４０の外面に沿って下向きに移動してフィルタ４０の下部に配置される。このような除埃リング５１の移動時、フィルタ４０の外面に集積された埃が除去されるものである。
【００３９】
前述のような構成を有する本フィルタ掃除機構５０を備えるサイクロン集塵装置１では、吸入管４９内へ吸い込まれた汚物及びほこりを含む空気が吸気ポート１３を通して斜めに流入される。このように流入される空気は、フィルタ４０を中心として旋回しながら渦流を形成し、このとき、空気と一緒に旋回する汚物及び大粒径の埃は遠心力によって分離される。ところが、汚物及び大粒径のほこりが遠心分離された空気には未だ微細な埃が含まれている。かかる微細な埃はフィルタ４０を通過しながらフィルタリングされた後、浄化された空気だけが排気ポート２３を経て排気されるものである。
【００４０】
一方、遠心分離されて集塵筒３１内に蓄積される汚物や埃などはサイクロン本体１０で集塵筒３１だけを簡単に分離して除去可能である。集塵筒３１は、前述のように、一方向へ回転させて係合スリット３４に係合された嵌合突起３５を解除させると、弾性バネ７１の弾性力によって簡単に分離される。これと同時に、操作部６１も弾性バネ７１の弾性力によってフィルタ４０から離間される。こうすれば、連結部材７３を介して結合された除埃リング５１がフィルタ４０の外面に沿って下向きに移動する。
【００４１】
このとき、下向きに移動する除埃リング５１は、フィルタ４０の外面においてフィルタリングを介して集積された埃を取り除く。ここで、ほこりの除去は、除埃リング５１の内周面に設置されたブラシ５３によってより効率よく行われる。このように、除埃リング５１の下向きへの移動によって除去される埃は、集塵筒３１内へ落下して収去され、ユーザは収去された埃を簡単に取り除くことができる。
【００４２】
その後、分離された集塵筒３１をサイクロン本体１０に再び結合させる場合、まず、作動棒８１が操作部６１の棒案内部６５に沿って移動してその嵌合溝部６３と結合される。次に、ユーザが集塵筒３１を上向きに押圧すると、その押圧力により操作部６１がフィルタ４０に向かって接近する。そうすると、除埃リング５１がフィルタ４０の外面に沿って上向きに移動して、その上部に配置される。かかる状態で、集塵筒３１の嵌合突起３５を係合スリット３４に結合させると、前述のように、掃除可能な状態となるものである。
【図面の簡単な説明】
【００４３】
【図１】従来のフィルタ掃除機構付きサイクロン集塵装置の断面図である。
【図２】図１のフィルタ掃除機構の拡大分解斜視図である。
【図３】従来の他のフィルタ掃除機構付きサイクロン集塵装置の縦断面図である。
【図４】本発明によるフィルタ掃除機構付きサイクロン集塵装置の縦断面図である。
【図５】図１の要部拡大斜視図であり、フィルタ及びその外面に集塵される埃を掃除するフィルタ掃除機構をより具体的に示した図である。
【図６】図５の背面斜視図である。
【図７】サイクロン集塵装置内に設置された本フィルタ掃除機構の縦断面図であり、その作動を説明するためのものである。
【図８】サイクロン集塵装置内に設置された本フィルタ掃除機構の縦断面図であり、その作動を説明するためのものである。
【符号の説明】
【００４４】
１    サイクロン集塵装置
１０  サイクロン本体
１１  下ボディ
１３  吸気ポート
１５  吸気側結合管
１８、２８  固定リブ
２１  上ボディ
２３  排気ポート
２５  排出側結合管
３１  集塵筒
３２  結合リブ
３３  結合縁部
３４  係合スリット
３５  係合突起
３８  汚物逆流防止板
３９  フィルタ固定管
４０  フィルタ
４１、７９  ネジ
４３  排気口
４５  フィルタリング部材
４６  吸気グリル
４７  フレキシブル連結管
４８  スカート部
４９  吸入管
５０  フィルタ掃除機構
５１  除埃リング
５３  ブラシ
６１  操作部
６３  嵌合溝部
６５  棒案内部
６７  ブロック面
６９  溝
７１  弾性バネ
７３  連結部材
７４  係合溝部
７５  係合端部
７６  連結部
８１  作動棒
８３  端部
９１  バネ固定部
９３  フィルタリング固定部
【図１】
2004298860.tif 000003
【図２】
2004298860.tif 000004
【図３】
2004298860.tif 000005
【図４】
2004298860.tif 000006
【図５】
2004298860.tif 000007
【図６】
2004298860.tif 000008
【図７】
2004298860.tif 000009
【図８】
2004298860.tif 000010